(57)【特許請求の範囲】
【請求項１】
容器口部に打栓された中栓と、キャップとを備えた液注出容器において、
中栓は、容器口部に嵌合される嵌着部と、下端に係止筒部が設けられた注出筒とを具備しており、
キャップは、頂壁と容器口部に装着される側周壁とを具備し、頂壁上面に前記係止筒部に係合する抜栓リングを立設していることを特徴とする液注出容器。
【請求項２】
容器口部に打栓された中栓と、キャップとを備えた液注出容器において、
中栓は、容器口部に嵌合される嵌着部と、係止筒部を具えた押出筒とを具備しており、
キャップは、頂壁と容器口部に装着される側周壁とを具備し、頂壁上面に前記係止筒部に係合する抜栓リングを立設していることを特徴とする液注出容器。
【請求項３】
注出筒または押出筒の係止筒部の外周と、抜栓リングの内周に相互に螺合するねじを螺設したことを特徴とする請求項１または２記載の液注出容器。
【発明の詳細な説明】
【０００１】
【発明の属する技術分野】
本発明は、液注出容器、とくに中栓を取り外すための抜栓部材を設けたキャップを具えた液注出容器に関する。
【０００２】
【発明が解決しようとする課題】
近年廃棄プラスチックのリサイクルのために、容器本体と材質の異なるキャップ、中栓の分別廃棄が求められている。
しかしながら、中栓は、打栓により容器の口筒部に嵌着され、簡単には取り外すことができないようになっている。
【０００３】
各家庭には、抜栓のための器具が特別にあるわけでもなく、使用後の容器の廃棄にあたって、各家庭では、中栓、キャップを容器から取り外さないで廃棄しているのが現状である。
そのため、廃棄プラスチックに異種材料が混入し、その分離が簡単にできないという問題があった。
【０００４】
本発明は、上記の問題を考慮して、各家庭において、打栓により嵌着された中栓を簡単に分離できるよう、抜栓リングを設けたキャップを具えた液注出容器を提供することを目的とする。
【０００５】
【課題を解決するための手段】
本発明は、上記の課題を解決するため、液注出容器として、容器口部に打栓された中栓と、キャップとを備えた液注出容器において、中栓は、容器口部に嵌合される嵌着部と、下端に係止筒部が設けられた注出筒とを具備しており、キャップは、頂壁と容器口部に装着される側周壁とを具備し、頂壁上面に前記係止筒部に係合する抜栓リングを立設していることを特徴とする構成を採用する。
【０００６】
また他の実施形態として、容器口部に打栓された中栓と、キャップとを備えた液注出容器において、中栓は、容器口部に嵌合される嵌着部と、係止筒部を具えた押出筒とを具備しており、キャップは、頂壁と容器口部に装着される側周壁とを具備し、頂壁上面に前記係止筒部に係合する抜栓リングを立設していることを特徴とする構成を採用する。
【０００７】
中栓とキャップとを係合させるための一つの実施態様として、注出筒または押出筒の係止筒部の外周と、抜栓リングの内周に相互に螺合するねじを螺設したことを特徴とする構成を採用する。
【０００８】
【発明の実施の形態】
次に、本発明の第１実施形態について、図面を参照して説明する。
図１において、Ａは容器、Ｂは容器Ａの口部Ａ１に打栓により嵌着された中栓、Ｃはキャップである。
容器Ａ、中栓Ｂ、キャップＣは、いずれも合成樹脂で成形され、中栓Ｂ、キャップＣは、容器Ａと材質を異にしている。
容器Ａの口部Ａ１の上端は、縮径部１となっており、該縮径部１の下部には、環状の嵌合溝２が刻設されている。
嵌合溝２の下方は拡径され、ねじ３とネックリング４が刻設されている。
【０００９】
中栓Ｂは、外筒５と上壁６、口部Ａ１内周に嵌合する内筒７とからなる嵌着部を具えており、外筒５の内周下端には、口部Ａ１の縮径部１の嵌合溝２に嵌合する係止環８が設けられている。
上壁６の上面には、内筒７の内周に沿って延びる内周面を有する注出筒９が立設されており、注出筒９の上端周縁には、外方に拡径され湾曲する注出口唇部１０が形成されている。
注出筒９の外周下端部は拡径され、係止筒部１１が設けられ、その外周にはねじ１２が螺設されている。
【００１０】
注出筒９の内側下端には、上壁６と同一面に隔壁１３が連設され、該隔壁１３には、注出口を形成するための一定形状の切断溝１４が刻設されている。
切断溝１４の内側は、除去部１５となっており、該除去部１５には、指掛けリング１６が立設されている。
【００１１】
キャップＣは、側周壁２０と頂壁２１とを具えており、側周壁２０の内周には、容器Ａの口部Ａ１のねじ３に螺合するねじ２２が螺設されている。
頂壁２１の下面には、注出筒９の内周に係合する密封リング２３が垂設されている。
頂壁２１の上面には、抜栓リング２４が立設されており、該抜栓リング２４の内周には、前記注出筒９の係止筒部１１のねじ１２に螺合するねじ２５が螺設されている。
【００１２】
次に、上記構成に基づく作用効果について説明する。
容器の使用に際しては公知のものと同様に、指掛けリング１６を引き上げることにより除去部１５を取り去り、注出口を開孔する。
容器の廃棄時には、図２に示すように、キャップＣを倒立させ、抜栓リング２４を注出筒９の係止筒部１１に螺合すると、キャップＣと中栓Ｂが一体に結合される。
【００１３】
次に、キャップＣの側周壁２０下端を持って、容器Ａに対してキャップＣを傾倒させるようにすると、容器Ａの口部Ａ１とキッャプＣとの間にモーメントが働き、中栓Ｂの外筒５の係止環８が口部Ａ１の嵌合溝２から外されるとともに、内筒７が口部Ａ１の内周から抜ける。
したがって、キャップＣを用いて中栓Ｂを容器Ａから簡単に取り外すことができ、さらに、キャップＣと中栓Ｂを相互に廻動させ螺合を解くと、分離することもできる。
【００１４】
次に、第２実施形態について説明する。
前記実施形態では、中栓は嵌着部と該嵌着部に連設した注出筒を具えたものであったが、本実施形態は、中栓として、中央に押出孔を設けた押出筒を用い、容器の胴部を押圧することによって内容液を押出すようにした容器とキャップに係るものである。
容器Ａは、前実施形態と同一であるので、同一の符号を用いて説明は省略する。
【００１５】
図３において、Ｂａは液押出用の中栓、Ｃａはキャップである。
中栓Ｂａは、外筒５ａと上壁６ａと内筒７ａとからなる嵌着部と、上壁６ａに立設された押出筒３０とを具えている。
押出筒３０は、頂壁３１と外周にねじ３２を螺設した係止筒部３３とからなっており、頂壁３１の中央には、開口３４を穿設した押出ヘッド３５が立設されている。
【００１６】
キャップＣａは、前実施形態と同様に、側周壁４０と抜栓リング４１を立設した頂壁４２とからなっており、抜栓リング４１の内周にはねじ３２に螺合するねじ４３が螺設されている。
頂壁４２の下面中央には、前記開口３４に係合する栓体４４が垂設されている。
【００１７】
容器Ａの廃棄時には、図４に示すように、抜栓リング４１を押出筒３０の係止筒部３３に螺合し、キャップＣａを傾倒させると、前記第１実施形態と同様に、中栓Ｂａを容器Ａから簡単に取り外すことができる。
【００１８】
次に、キャップに関する別実施例について説明する。
前記各実施形態では、抜栓リングをキャップの頂壁上面の周縁から離れた内側に位置させて立設したが、抜栓リングの周壁を二重壁としてもよい。
【００１９】
図５（ａ）に示すキャップＣ１は、第１実施形態に適用する抜栓リングを設けたものであるが、抜栓リング２４ａは、ねじ２５を螺設した内壁２４ａ１とキャップＣ１の側周壁２０の外周端縁から上方に延びる外壁部２４ａ２とからなっている。
【００２０】
図５（ｂ）に示すキャップＣａ１は、第２実施形態に適用する抜栓リングを設けたものであるが、抜栓リング４１ａは、ねじ４３を螺設した内壁４１ａ１とキャップＣａ１の側周壁４０の外周端縁から上方に延びる外壁部４１ａ２とからなっている。
いずれもキャップの外形は、抜栓リングの上端面まで含め筒状となっており、シンプルな外観を有している。
【００２１】
前記各実施形態では、中栓の係止筒部とキャップの抜栓リングとを、ねじによって螺合するようにしたが、係止筒部の外周と抜栓リングの内周のそれぞれに、所定角度の突条を配設してもよい。
【００２２】
図６において、キャップの抜栓リング５０の内周面には、角度６０゜近くの突条５１が等間隔に配設され、中栓の注出筒の係止筒部５２には、角度６０゜近くの突条５３が等間隔に配設されている。
抜栓リングを係止筒部に嵌挿し廻動させることによって相互に係合させることができる。
また、突条に変え、相互に膨出環を設け、キャップを相互の膨出環を乗り越えるように押さえつけて係合させることもできる。
【００２３】
【発明の効果】
本発明は、上記のように構成されているから、次の効果を奏する。
中栓の注出筒または押出筒にキャップの頂壁に立設した係合リングを結合するようにし、キャップ下端部を把持し、容器とキャップとの間にモーメントをかけ抜栓するようにしたから、別の器具を用いなくても中栓を容器口部から簡単に外すことができ、さらに、キャップと中栓を分離できる。
そのことによって、キャップと中栓の分別廃棄に役立たせることができた。
【図面の簡単な説明】
【図１】本発明第１実施形態の一部断面分解説明図である。
【図２】抜栓時の説明図である。
【図３】第２実施形態の一部断面分解説明図である。
【図４】抜栓時の説明図である。
【図５】抜栓リングの別実施例を示すもので、（ａ）は第１実施形態、（ｂ）は第２実施形態に適用するキャップの説明図である。
【図６】抜栓リングと注出筒との係合部の別実施形態を示す図で、（ａ）はキャップの上面図、（ｂ）はキッャプの一部断面側面図、（ｃ）は中栓の正面図である。
【符号の説明】
Ａ            容器
Ａ１          口部
Ｂ、Ｂａ      中栓
Ｃ、Ｃａ      キャップ
１            縮径部
２            嵌合溝
１２、２５    ねじ
５、５ａ      外筒
６、６ａ      上壁
７、７ａ      内筒
８            係止環
９            注出筒
１１          係止筒部
２０、４０    側周壁
２１、４２    頂壁
２４、４１    抜栓リング
３０          押出筒
３２、４３    ねじ
３３          係止筒部
３４          開口
３５          押出ヘッド
４４          栓体
【図１】
0003916824.tif 000002
【図２】
0003916824.tif 000003
【図３】
0003916824.tif 000004
【図４】
0003916824.tif 000005
【図５】
0003916824.tif 000006
【図６】
0003916824.tif 000007